(57)【要約】【課題】二重殻低温タンクの内槽の変位量を、外槽屋根の外部から計測するとともに、外槽の破壊やガス漏れの防止を図る。【解決手段】内槽２と外槽３との間に保冷空間４を有する二重殻低温タンク１の外槽屋根６の外周付近に孔６ａを穿設し、該孔６ａに上方に突出するように気密の中空体９を立設し、該中空体９の天井９ａに弾性部材１２を取り付け、該弾性部材１２の下端にワイヤー１０の上端を固着し、該ワイヤー１０は外槽３の内面に設けた滑車１１に掛け回して下端を内槽２の外面に固着し、上記ワイヤー１０の変位によって内槽２の変位を検出するようにした。【選択図】          図２
2004163137.tif 000002
【特許請求の範囲】
【請求項１】
内槽と外槽との間に保冷空間を有する二重殻低温タンクの外槽屋根の外周付近に孔を穿設し、該孔に上方に突出するように気密の中空体を立設し、該中空体の天井に弾性部材を取り付け、該弾性部材の下端にワイヤーの上端を固着し、該ワイヤーは外槽の内面に設けた滑車に掛け回して下端を内槽の外面に固着し、上記ワイヤーの変位によって内槽の変位を検出するようにしたことを特徴とする二重殻低温タンクの内槽の変位検出装置。
【請求項２】
上記ワイヤーの上端付近にインジケータを取り付け、上記中空体に覗き窓を設けるとともに、上記覗き窓と対向する中空体の内面に目盛りを設け、インジケータの位置を目盛りで読み取るようにした請求項１記載の二重殻低温タンクの内槽の変位検出装置。
【発明の詳細な説明】
【０００１】
【発明の属する技術分野】
本発明は、内槽と外槽との間に保冷空間を有する二重殻低温タンクの内槽の変位検出装置に関するものである。
【０００２】
【従来の技術】
二重殻低温タンクは、低温液化ガスを貯蔵する内槽と保冷材支持部としての外槽によって構成されている。内槽と外槽は、それぞれ独立しており、この内槽と外槽との間に保冷空間が設けられていて、空間部に保冷層が形成されている。
【０００３】
二重殻低温タンクは、安全確認のため、定期的に解放点検を行なっている。解放点検する際には、タンクの温度を使用時の低温から常温まで徐々に上昇させているが、タンクの温度上昇によって内槽が熱膨張して外槽側に移動する。このとき、内槽は周囲に向けて均等に移動すればよいが、偏心状態で移動すると異常な応力が作用して変形を生じたり、最悪の場合には破壊に至る恐れがある。また、内槽の移動は、大きな地震などの際にも起こることが予想される。
【０００４】
そこで、本願出願人は、解放点検の際の温度上昇時に内槽の移動を検知することのできる地上式二重殻低温貯槽の内槽側板変位量計測治具を創案し、特許出願を行なった（特許文献１）。
【０００５】
【特許文献１】
特開平１０−６２２６２号公報
【０００６】
図３ないし図４（Ａ）、（Ｂ）は、特許文献１に開示された地上式二重殻低温貯槽の内槽側板変位量計測治具の図で、図３は内槽側板変位量計測治具を用いる低温貯槽の概略構成断面図、図４（Ａ）は内槽側板変位量計測治具の一例の断面図、図４（Ｂ）は変位量計測状態を示す断面図である。図において、ａは二重殻低温タンクで、ｂは外槽、ｃは内槽である。ｄは外槽ｂと内槽ｃとの間の保冷空間ｅに設けたダイアフラムである。ｆは内槽側板変位量計測治具である。
【０００７】
内槽側板変位量計測治具ｆは、図４（Ａ）、（Ｂ）に示すように、ステンレス鋼製等の外筒ｇと、外筒ｇに内嵌したＦＲＰ等の内筒ｈで二重筒構造に構成されている。外筒ｇは、外槽ｂに設けた孔ｏを貫通して内端が保冷空間ｅ内に突出した状態で貫通孔ｏの周囲を溶接などにより外槽ｂに固定されている。内筒ｈは、先端が外筒ｇ内に嵌入され、基端は取付金具ｋによりダイアフラムｄに取り付けられている。ｉは外筒ｇ内に充填されたグラスウール（断熱部材）、ｊは外筒ｇと内筒ｈとの間の隙間に充填したグラスウールである。ｌは外筒ｇの外端にボルトなどにより着脱可能に設けた閉止板である。ｍは外槽ｂとダイアフラムｄとの間の保冷空間ｅ内に充填したパーライト（保冷部材）、ｎは内槽ｃとダイアフラムｄとの間の保冷空間ｅ内に充填したグラスウール（保冷部材）である。ｐは探触子である。
【０００８】
内槽ｃの変位量を計測するときは、内槽側板変位量計測治具ｆの外筒ｇの閉止板ｌを取り外して内部に充填されているグラスウールｉを取り出し、図４（Ｂ）に示すように、探触子ｐを外筒ｇの外端側から外筒ｇ内および内筒ｈ内に挿入して先端を内筒ｈの基端から突出させ、内槽ｃとダイアフラムｄとの間の保冷空間ｅ内に充填したグラスウールｎを貫通して内槽ｃの外面に当接させる。
【０００９】
このような状態で、二重殻低温タンクａ内の温度が上昇し、内槽ｃが熱膨張して外側に移動すると、この内槽ｃの移動に伴なって探触子ｐが移動するので、探触子ｐの移動を計測することによって内槽ｃの変位量を計測することができる。
【００１０】
【発明が解決しようとする課題】
しかしながら、特許文献１に開示された地上式二重殻低温貯槽の内槽側板変位量計測治具では、内槽の変位量を計測するたびに内槽側板変位量計測治具の外筒の閉止板を取り外して内部に充填されているグラスウールを取り出し、探触子をに挿入して先端を内槽の外面に当接させて探触子の移動を計測することによって内槽の変位量を計測し、点検が終わると探触子を引き出し、再び外筒の内部にグラスウールを充填し、外筒の外端に閉止板を取り付けなければならず、変位量計測に手間がかかる。また、外槽は、通常、鉄筋コンクリート製であり、外槽に内槽側板変位量計測治具を取り付けるための貫通孔を設けると、外槽の強度上や液化ガスの漏れ防止上好ましくない。
【００１１】
本発明は、従来技術のかかる問題点に鑑み案出されたもので、解放点検の際だけでなく地震などによる内槽の変位量なども、外槽屋根の外部から計測できる二重殻低温タンクの内槽の変位検出装置を提供することを目的とする。
【００１２】
【課題を解決するための手段】
上記目的を達成するため、本発明の二重殻低温タンクの内槽の変位検出装置は、内槽と外槽との間に保冷空間を有する二重殻低温タンクの外槽屋根の外周付近に孔を穿設し、該孔に上方に突出するように気密の中空体を立設し、該中空体の天井に弾性部材を取り付け、該弾性部材の下端にワイヤーの上端を固着し、該ワイヤーは外槽の内面に設けた滑車に掛け回して下端を内槽の外面に固着し、上記ワイヤーの変位によって内槽の変位を検出するようにしたものである。
【００１３】
上記ワイヤーの上端付近にインジケータを取り付け、上記中空体に覗き窓を設けるとともに、上記覗き窓と対向する中空体の内面に目盛りを設け、インジケータの位置を目盛りで読み取るようにするのが好ましい。
【００１４】
次に本発明の作用を説明する。二重殻低温タンクの外槽屋根の外周付近に穿設した孔に、上方に突出するように気密の中空体を立設し、該中空体の天井に取り付けた弾性部材の下端にワイヤーの上端を固着し、該ワイヤーは外槽の内面に設けた滑車に掛け回して下端を内槽の外面に固着し、ワイヤーの変位によって内槽の変位を検出するので、解放点検前の内槽の移動だけでなく地震などによる内槽の変位量なども、常時、外槽屋根の外部から計測することができる。また、外槽側部に貫通孔を設けていないので、外槽側部の破壊や貫通孔からのガス漏れの恐れもない。
【００１５】
【発明の実施の形態】
以下、本発明の一実施形態について図面を参照しつつ説明する。図１は本発明の二重殻低温タンクの内槽の変位検出装置の断面図である。図２は変位検出装置の拡大断面図である。図１および図２において、１は二重殻低温タンクである。２は二重殻低温タンク１の内槽、３は外槽である。４は内槽２と外槽３との間の保冷空間で、パーライト（保冷部材）が充填されている。５は内槽屋根である。６は外槽屋根である。６ａは外槽屋根６の外周付近に穿設した孔である。７は内槽屋根５と外槽屋根７とを連結した連結部材である。８は変位検出装置である。１８は内槽２内に貯蔵された低温液化ガス、１８ａは液位である。
【００１６】
変位検出装置８は、二重殻低温タンク１の外槽屋根６の外周付近に穿設した孔６ａに、上方に突出するように立設した気密の中空体９と、中空体９の天井９ａに取り付けた上下に伸縮する弾性部材１２と、弾性部材１２の下端に上端を固着し、下端を外槽３の内面に設けた滑車１１に掛け回して内槽２の外面に固着したワイヤー１０と、ワイヤー１０の上端付近に取り付けたインジケータ１７と、中空体９に設けた覗き窓１５と、中空体９の内面の覗き窓１５と対向する位置に設けた目盛り１６によって構成されている。内槽２の変位量は、外槽屋根６の外部から覗き窓１５を通してインジケータ１７の位置を目盛り１６で読み取ることによって計測される。１３は外槽３の内面に取り付けた滑車１１を支持するブラケット、１４は内槽２の外面に取り付けたワイヤー１０を固着するブラケットである。
【００１７】
次に本実施形態の作用を説明する。二重殻低温タンク１の外槽屋根６の外周付近に穿設した孔６ａに、上方に突出するように気密の中空体９を立設し、該中空体９の天井９ａに取り付けた弾性部材１２の下端にワイヤー１０の上端を固着し、該ワイヤー１０は外槽３の内面に設けた滑車１１に掛け回して下端を内槽２の外面に固着し、ワイヤー１０の変位によって内槽２の変位を検出するので、解放点検前の内槽２の移動だけでなく地震などによる内槽２の変位量なども、外槽屋根６の外部から計測することができる。また、外槽３側部に、図３、図４に示すような貫通孔ｏを設けていないので、外槽３側部の破壊や貫通孔ｏからのガス漏れの恐れもない。
【００１８】
本発明は、以上述べた実施形態に限定されるものではなく、発明の要旨を逸脱しない範囲で種々の変更が可能である。たとえば、変位検出装置は、外槽屋根の外周付近に１個設けた例について説明したが、１個に限らず複数個設けてもよい。また、ワイヤーの変位の検出は直接目視によるものでなく、電気的な変位計測によって行なってもよい。
【００１９】
【発明の効果】
以上述べたように、本発明の二重殻低温タンクの内槽の変位検出装置は、二重殻低温タンクの外槽屋根の外周付近に孔を穿設し、該孔に気密の中空体を立設し、該中空体の天井に取り付けた弾性部材の下端にワイヤーの上端を固着し、該ワイヤーは外槽の内面に設けた滑車に掛け回して下端を内槽の外面に固着し、ワイヤーの変位によって内槽の変位を検出するので、解放点検前の内槽の移動だけでなく地震などによる内槽の変位量なども、外槽屋根の外部から計測することができる。また、外槽に貫通孔を設けていないので、外槽の破壊や貫通孔からのガス漏れの恐れもないという優れた効果を奏する。
【図面の簡単な説明】
【図１】本発明の二重殻低温タンクの内槽の変位検出装置の断面図である。
【図２】図１の変位検出装置の拡大断面図である。
【図３】特許文献１に開示された地上式二重殻低温貯槽の内槽側板変位量計測治具を用いる低温液層の概略構成断面図である。
【図４】（Ａ）は図３の内槽側板変位量計測治具の一例の断面図、（Ｂ）は変位量計測状態を示す断面図である。
【符号の説明】
１      二重殻低温タンク
２      内槽
３      外槽
４      保冷空間
５      内槽屋根
６      外槽屋根
６ａ    孔
７      連結材
８      変位検出装置
９      中空体
１０      ワイヤー
１１      滑車
１２      弾性部材
１５      覗き窓
１６      目盛り
１７      インジケータ
１８      低温液化ガス
【図１】
2004163137.tif 000003
【図２】
2004163137.tif 000004
【図３】
2004163137.tif 000005
【図４】
2004163137.tif 000006